(57)【要約】      （修正有）【課題】簡単な組立により、収納形態を変えることが可能で、収納物の数量や大きさにより、立て掛けの角度を変え、ブックエンドを使用することなく用途に合わせた、収納可能な本立てを提供する。【解決手段】左右一対側板１ａ、１ｂの一方の下端部ともう一方の下端部から上方にかい離した箇所を係合する事により、底板２に傾斜をつけ、収納対象物が倒れずに立て掛けられる本立てを提供するとともに、側板、底板を追加して、連続して係合することが可能な本立て提供することにより、上記課題を解決する。また、収納物が増えて倒れることがなくなった時は水平に組立直し収納することも可能である。【選択図】図１
0003217945.tif 000002
【実用新案登録請求の範囲】
【請求項１】
左右一対の側板と、該左右一対の側板の下部を連結する底板からなる本立てであって、前記側板には、下端部と、該下端部から所定距離上方に離間した第二位置にそれぞれ係止部が設けられており、前記底板には、その両側の端面に前記係止部に係合する係合部が設けられており、この底板の一方側は前記側板の一方側の下端部に係合されるとともに、他方側は、前記側板の他方側の第二位置に係合されることを特徴とする本立て。
【請求項２】
前記係止部はメネジで構成されるとともに、前記係合部は前記メネジに係合するビスであることを特徴とする、請求項１記載の本立て。
【考案の詳細な説明】
【技術分野】
【０００１】  本考案は、組立式の本立てに関し、さらに詳しくは、左右一対側板の下部を連結する底板からなる本立てである。係合位置の左右を上下にずらす事により底板に傾斜をつけ、収納する対象が倒れずに立て掛けられる構造とすることが可能でありこの場合、連続して係合することも可能である。また、水平に底板を係合することも可能で、係合位置も２箇所あり、収納する対象に応じて係合場所を変更できる。尚、収納する対象物は書籍類だけでなく、ＤＶＤ、ＣＤ，ＢＤ（ブルーレイディスク）、レコード、ビデオカセット等を含め、立て掛けられる、印刷物、雑誌、資料、ファイルを全て含むものとし、以下の説明では、これらの収納するものを総じて収納物と称することとする。
【考案の概要】
【考案が解決しようとする課題】
【０００２】  本考案は従来の本箱、書架の持つ欠点を解決する為に考案されたもので上記従来の固定概念を覆し、収納物の倒れを防止して、単体でも、書架の中でも使用できる新規の、「立て掛け式本立て」を提供することを課題とするものである。
【課題を解決するための手段】
【０００３】  本考案者は、上記課題を解決すべく研究と試行錯誤を行った結果、比較的簡単な形状で、傾斜を構成する本考案を完成した。
【考案の効果】
【０００４】  請求項１記載の考案では、簡単な構成で本立てに傾斜をつけ、収納物の、数量、大きさに応じて、倒れることなく、収納、取り出しが簡単に行える。また、組立の方法により、連結使用、傾斜使用、水平使用とさまざまな、収納形態が可能である。
【図面の簡単な説明】
【０００５】
【図１】本考案の第一実施例を示す正面図である。
【図２】本考案の第一実施例を示す図の斜視図である。
【図３】本考案の第二実施例を示す正面図である。
【図４】本考案の第三実施例を示す正面図である。
【図５】本考案の第四実施例を示す正面図である。
【図６】本考案の第五実施例を示す正面図である。
【図７】本考案の第六実施例を示す正面図である。
【図８】本考案の書架内に設置した実施例を示す正面図である。
【考案を実施するための形態】
【０００６】  以下、図面を用いて本考案を詳細に説明するが、これら図面に示されたものに限定されるものではない。
【０００７】  図１は本考案の基本的な構成を示す第一実施例である。側板１ａ、側板１ｂと底板２の３枚の板で本考案は基本構成される。側板１ａ、側板１ｂと底板は、有る程度の強度があれば、材質は何でも良いが、木材、合成樹脂、金属を用い典型的には木材もしくは合成樹脂が軽量となるため、好ましい。金属の場合は薄鋼板を曲げ加工、又は薄鋼板を溶接加工したものを使用する。また側板１ａ、側板１ｂと底板の部材は異なる材料を使用しても良い。
【０００８】  前記側板１ａ、側板１ｂは、その下端部に係止部として穴４がそれぞれ３箇所設けられている。またこの側板１ａ、側板１ｂの下端部から所定距離上方に例えば５ｃｍ程度離間した第二位置に係止部としての穴３がそれぞれ３箇所設けられている。そして穴３、及び穴４の両側から皿ザグリを施し、ビスの頭が飛び出すことを防ぐように加工が施される。穴３，穴４の穴数は必要に応じて増やして、側板１ａ、側板１ｂと底板２の３枚を剛性が保たれるように、係合する。
【０００９】  図１のイ部は係合部を分かりやすく拡大して示している。そして５は埋め込みメネジを示し、本メネジを、底板２に穴３の穴数と同じ数量、同じ間隔で、両端面に埋め込む。
【００１０】  ６は皿ビスを示す。側板１ａ、側板１ｂと底板２の３枚係合する。皿ビスを用いるのは、板の表面にビスの頭が出て、収納物の表面を損傷することを防ぐためである。
【００１１】  ３、４は穴を示し、平行にかい離した位置に穴３穴４あける。穴は板に穴を貫通させ、板の両側から皿ザグリを施し、ビスの頭が飛び出すことを防ぐように加工が施されている。穴３，穴４の穴数は必要に応じて増やして、側板１ａ、側板１ｂと底板２の３枚を剛性が保たれるように、係合する。
【００１２】  図２は第一実施例の斜視図である。収納物Ａを側板１ａにたてかけ、傾斜によって収納物が倒れないようになっていることを示すものである。
【００１３】  図３は、第ニ実施例である。側板１ａと側板１ｂと側板１ｃ及び底板２、底板２ａとを連続して係合させることも可能で、収納物Ａの数量を増やすことが出来る。本図では、２連の連結例を示すが、連結数は３連、４連、５連と連結可能である。側板１ａ側板１ｂ側板１ｃは説明の為符号を変えて表示しているが、同一形状の部品である。また底板２、底板２ａは、説明の為符号を変えて表示しているが、これも同一形状の部品である。
【００１４】  図４は、第三実施例である。側板１ａ、短脚７と底板２で構成され、図１の第一実施例と比べ立て掛けの収納物Ａは少ないが、本立ての右側が解放されて、収納取り出しが容易い組み合わせとなる。
【００１５】  図５は、第四実施例である。側板１ａ、側板１ｂと底板２を水平に係合した場合を示すものであり、一般的に使用されている形状に組み合わせ、収納する使用例を示す。
【００１６】  図６は、第五実施例である。側板１ａ、側板１ｂと底板２を水平に係合した場合を示すものであり、上部に垂直に収納物Ａを収納して、下部に収納物Ｂを収納する使用例を示す。
【００１７】  図７は、第六実施例である。側板１ａ、側板１ｂと底板２を水平に係合した場合を示すものであり、下部に垂直に収納物Ａを収納して、上部に収納物Ｂを収納する使用例を示す。
【００１８】  図８は、第一実施例、第ニ実施例、第三実施例、第四実施例、第五実施例、第六実施例の組み合わせの状態を、書架内に組み入れた収納実施例示す。
【産業上の利用可能性】
【００１９】  本考案は、書籍、書類を主体とした収納用品であり、大きさにより、文具、家具に関するものである。
【符号の説明】
【００２０】１ａ    側板ａ
１ｂ    側板ｂ
１ｃ    側板ｃ
２      底板
２ａ    底板ａ
３      係止部（上部穴）
４      係止部（下部穴）
５      埋め込みメネジ
６      係合部（ビス）
７      短脚
Ａ      収納物Ａ
Ｂ      収納物Ｂ
Ｃ      書架
Ｄ      テーブル
【図１】
0003217945.tif 000003
【図２】
0003217945.tif 000004
【図３】
0003217945.tif 000005
【図４】
0003217945.tif 000006
【図５】
0003217945.tif 000007
【図６】
0003217945.tif 000008
【図７】
0003217945.tif 000009
【図８】
0003217945.tif 000010